(57)【特許請求の範囲】
【請求項１】
作業面を支持する少なくとも一対の支持脚を有し、前記支持脚はワークトップ面に所定の間隔をおいて立設した少なくとも一対の支持部材に前後方向いずれかの向きに着脱自在に嵌合し、さらに支持部材には支持脚の高さ調節手段を設けた厨房用カウンター装置。
【請求項２】
支持脚に、台所用品の収納ラックを設けてなる請求項１記載の厨房用カウンター装置。
【請求項３】
作業面に計量機能を具備させた請求項１記載の厨房用カウンター装置。
【請求項４】
作業面に保温または加熱機能を具備させた請求項１記載の厨房用カウンター装置。
【発明の詳細な説明】
【０００１】
【発明の属する技術分野】
本発明は流し台、システムキッチン等の厨房用カウンター装置に関するものである。
【０００２】
【従来の技術】
従来この種の厨房用カウンター装置は種々のものが提案されている。例えば図５に示すような商品では、支持部材１を正面の壁に接合する構成で作業面２を支える。また図６に示すような商品はウォールキャビネット３からの吊り脚４によって作業面を支える。さらに図７のような実開昭５０−６５７１７号公報に示される商品はバックガード６を高く立ち上げることによって支持部とし、作業面７を手前に向けて接合する。
【０００３】
そして図８のような実開昭５０−１１３６５５号公報に示される商品はバックガード６を高く立ち上げることによって支持部とし、作業面７を後方に向けて接合する。また図９のような実開昭５２−１２４８５０号公報に示される商品はバックガード８から立てた支持板９に接合する構成で作業面１０を支持している。
【０００４】
【発明が解決しようとする課題】
しかしながら上記各厨房用カウンター装置は、次のような課題を有していた。すなわち、図５に示すような壁付けタイプのカウンターでは、支持部材を正面に接合する構成なので、窓があるプランや、対面キッチンでは取り付けできないという課題を有していた。
【０００５】
また図６のウォールキャビネット吊り下げタイプでは、プランによって吊り下げる高さが変わることにより、作業面の適正高さが確保しにくく、吊り下げるための脚も作業性を阻害するという課題を有していた。さらに図７に示すバックガード手前取り付けタイプは、バックガードが低いとカウンター下のスペースが活用できず、高ければ壁が大きく立ちあがることになり窓や対面プラン時の開口面積が狭くなる上、長い幅を持った後端部全体が高くなるのでコストアップも大きいという課題を有していた。
【０００６】
そして図８に示すバックガード後方取り付けタイプは、図７で述べたような開口面積やコストの問題に加え、キッチン取り付けスペースの奥にカウンタースペースをさらに要することになり、日本の住宅事情や任意のプランニングを考慮すると汎用性に乏しいという課題を有していた。さらに図９に示す支持板タイプでは作業面が固定式であるため必要に応じて取り外すことができず、しかも作業面が手前側に向いた状態でしか取付けることができず対面プランに使用できない等、使い勝手が悪いという課題があった。
【０００７】
【課題を解決するための手段】
本発明は上記課題を解決するために、作業面を支持する少なくとも一対の支持脚を有し、前記支持脚はワークトップ面に所定の間隔をおいて立設した少なくとも一対の支持部材に前後方向いずれかの向きに着脱自在に嵌合し、さらに支持部材には支持脚の高さ調節手段を設けたものである。
【０００８】
上記発明によれば、窓があっても対面プランでも支障なく使用でき、しかも狭いキッチンでも既設のキッチンでも廉価に設置が可能である。また支持部材を高さ調節可能に設けることによって適正な作業台高さの設定が可能となり作業面の下にスペースを確保できることとなる。
【０００９】
そして対面プランにおいては作業面をリビング側に向けて設置すれば配膳下げ膳の作業性が向上する。
【００１０】
【発明の実施の形態】
本発明は、作業面を支持する少なくとも一対の支持脚を有し、前記支持脚はワークトップ面に所定の間隔をおいて立設した少なくとも一対の支持部材に前後方向いずれかの向きに着脱自在に嵌合し、さらに支持部材には支持脚の高さ調節手段を設けたものである。
【００１１】
上記構成により、作業面を必要としないときにはこれを取り外して使用することができ、しかも対面プランのときには支持脚を嵌合し直して作業台の向きを手前側から反対側に向けることもでき、使い勝手が向上する。しかも壁面やウォールキャビネット等がなくても使用できるので、目の前に解放性を重視する窓があっても、対面プランであっても使用することができる。加えて、支持脚を支持部材に対して高さ調節可能なように嵌合してあり、これによって作業面の高さを好みに応じて替えることができるから使い勝手が一段と向上する。
【００１２】
また、作業面に計量機能あるいは保温または加熱機能を具備させておけば、使用しない計量器を作業面にビルトインしたものは手軽に計量でき、使わないときにはそのまま作業面となる。保温または加熱機能を内蔵したものは、保温または煮込みをするときにコンロを使わずにすむので他の調理作業の効率を上げることができる。
【００１３】
以下、本発明の実施例について図面を用いて説明する。
【００１４】
（実施例１）
図１は本発明の実施例１のカウンター装置の外観斜視図である。また図２はカウンター装置の側断面図である。図３は対面プラン時における設置状態を示す外観斜視図である。
【００１５】
図において１１は支持部材であり、キッチンのトップ面１２にビス１２ａによって接合してある。この支持部材１１には支持脚１３が着脱かつ高さ調節可能に嵌合固定してある。すなわち支持脚１３は図３に示すように筒状にして支持部材１１に着脱自在に嵌合してあり、そして支持部材１１には複数の透孔１１ａを設け、支持脚固定用のビス１３ａをそのいずれかに通すことによって作業面１４の高さが調節できるようにしてある。
【００１６】
上記透孔１１ａとビス１３ａは高さ調節手段Ａを構成するもので、一例として透孔１１ａとビス１３ａで示したが、これはこの構成に限られるものではなく高さ調節可能とするものであればどのように構成してもよいものである。
【００１７】
１４は上記支持脚１３の上端に取付けた作業面、１５は同支持脚１３の立上面に取付けた収納ラックである。また１６は作業面１４に計量器あるいは保温または加熱機を内蔵可能とする空きスペースで、計量器あるいは保温または加熱器のいずれかを取り込んである。
【００１８】
上記構成において、支持部材１１に装着する支持脚１３は必要に応じて取外すことができ、しかもその向きは前後自在に付け替えることができるので、対面プランにおいては作業面１４をリビング側に向けて設置することにより配膳下げ膳の作業性向上を図ることができる。また、キッチンのトップ面１２後縁部に配設した支持部材１１と、支持部材１１に嵌合しスライドによって高さ調節ができる支持脚１３によって、適正な作業面１４の高さ設定が容易となることから、目の前の開放性を重視する窓や対面プランの場合に壁が目の前に立ちふさがったり、目障りな高さに作業面１４が付いてしまうような開口面積の阻害を招くことがない。
【００１９】
また釣り下げ脚がないので物を置いたり取ったりする動作のときに手が引っかかるようなことがなく作業ができる。しかもキッチンの基本構成部材に特殊な形状を必要とせず、支持部材１１の取り付け位置も柔軟に変更ができる後付け式なので、狭いキッチンでも既設のキッチンでも廉価に設置が可能である。
【００２０】
また作業面１４の下の支持脚１３に収納ラック１５を取り付けることによりシンク周りの小物を収納させることができる。支持部材１１に装着する支持脚１３は必要に応じて取外すことができ、しかもその向きは前後自在に付け替えることができるので対面プランにおいては作業面１４をリビング側に向けて設置することにより配膳下げ膳の作業性向上を図ることができる。
【００２１】
さらに作業面１４には機器を内蔵する空きスペース１６が設けられており普段一時的にしか使用しない計量器を必要なときに手軽に計量でき、使わないときにはそのまま作業面とすることができる。また保温または加熱機を内蔵すれば、保温または煮込みをするときにコンロを使わずにすむので他の調理作業の効率を上げることができる。
【００２２】
（実施例２）
図４は本発明の実施例２のカウンター装置の外観斜視図である。
【００２３】
実施例１と異なる点は、支持部材１１の取り付けをバックガード１７上部に限定した取り付けにしたところである。
【００２４】
なお実施例１と同一符号のものは同一構造を有し、説明は省略する。
【００２５】
次に動作、作用について説明すると、実施例１では支持部材１１が配設される場所を特に限定しなかったが、実施例２ではバックガード上に限定することによりキッチンのトップ面１２上から支持脚１３を無くし、清掃性を高めることがで
きる。
【００２６】
【発明の効果】
以上のように本発明によれば、作業面を必要としないときにはこれを取外して使用することができ、しかも対面プランのときには支持脚を嵌合し直して作業台の向きを手前側から反対側に向けることもでき、配膳下げ膳の作業性が向上する等使い勝手が向上する。しかも壁面やウォールキャビネット等がなくても使用できるので、目の前に解放性を重視する窓があっても、対面プランであっても使用することができる。
【００２７】
また上記支持脚を支持部材に対して高さ調節可能なように嵌合してあるから、作業面の高さを好みに応じて替えることができ、使い勝手が一段と向上する。しかも、適正な作業面の高さ設定が容易となることから、目の前の開放性を重視する窓や対面プランの場合に壁が目の前に立ちふさがったり、目障りな高さに作業面が付いてしまうような開口面積の阻害を招くことがない。
【００２８】
また上記支持脚に収納ラックを設けておけば、これにシンク周りの小物を収納させることができ、トップ面に小物収納用の容器を設けるスペースを確保する必要もなくなる。
【００２９】
また上記作業面には計量機能あるいは保温または加熱機能を具備させた構成とすれば、普段一時的にしか使用しない計量器を必要なときに手軽に使用でき、使わないときにはそのまま作業面とすることができる。また保温または加熱機を内蔵すれば、保温または煮込みをするときにコンロを使わずにすむので他の調理作業の効率を上げることができる。
【図面の簡単な説明】
【図１】  本発明の実施例１の厨房用カウンター装置の外観斜視図
【図２】  同厨房用カウンター装置の側断面図
【図３】  同厨房用カウンター装置の対面プラン設置時の外観斜視図
【図４】  本発明の実施例２の厨房用カウンター装置の外観斜視図
【図５】  従来の壁付け式の厨房用カウンター装置の外観斜視図
【図６】  従来のウォールキャビネット吊り下げ式の厨房用カウンター装置の外観斜視図
【図７】  従来の厨房用カウンター装置の外観斜視図
【図８】  従来の厨房用カウンター装置の外観斜視図
【図９】  従来の厨房用カウンター装置の外観斜視図
【符号の説明】
１１  支持部材
１３  支持脚
１４  作業面
１５  収納ラック
１６  計量器
１７  保温／加熱機
Ａ  高さ調節手段
【図１】
0003755208.tif 000002
【図２】
0003755208.tif 000003
【図３】
0003755208.tif 000004
【図４】
0003755208.tif 000005
【図５】
0003755208.tif 000006
【図６】
0003755208.tif 000007
【図７】
0003755208.tif 000008
【図８】
0003755208.tif 000009
【図９】
0003755208.tif 000010